(57)【要約】【課題】キャリアアグリゲーションにおいて、移動端末装置の移動に関する履歴の情報を精度良く確保することができる基地局装置などを提供する。【解決手段】端末装置が第１のセルに接続されるとともに１個以上の第２以降のセルに接続される通信システムにおける前記第１のセルを形成する基地局装置であって、前記端末装置と前記第２以降のセルとの接続に関する情報を記憶するように制御する接続状態記憶制御部を備える。【選択図】図３
2015177424.tif 000002
【特許請求の範囲】
【請求項１】
端末装置が第１のセルに接続されるとともに１個以上の第２以降のセルに接続される通信システムにおける前記第１のセルを形成する基地局装置であって、
前記端末装置と前記第２以降のセルとの接続に関する情報を記憶するように制御する接続状態記憶制御部を備える、
基地局装置。
【請求項２】
前記接続状態記憶制御部は、前記端末装置と前記第１のセルとの接続に関する情報を記憶するように制御する、
請求項１に記載の基地局装置。
【請求項３】
前記接続状態記憶制御部は、前記端末装置と前記第１のセルとの接続に関する情報とは別に、前記端末装置と前記第２以降のセルとの接続に関する情報を記憶するように制御する、
請求項２に記載の基地局装置。
【請求項４】
前記接続状態記憶制御部は、前記端末装置と前記第１のセルとの接続に関する情報と、前記端末装置と前記第２以降のセルとの接続に関する情報と、を共通のテーブルで記憶するように制御する、
請求項２に記載の基地局装置。
【請求項５】
前記接続状態記憶制御部は、前記第１のセルと前記第２以降のセルとの組み合わせの情報を含めて、前記端末装置と前記第１のセルとの接続に関する情報と、前記端末装置と前記第２以降のセルとの接続に関する情報と、を共通のテーブルで記憶するように制御する、
請求項４に記載の基地局装置。
【請求項６】
前記接続状態記憶制御部は、前記端末装置が接続されるセルを識別する情報と、前記端末装置の接続に関する時間の情報を含む情報を記憶するように制御する、
請求項１から請求項５のいずれか１項に記載の基地局装置。
【請求項７】
前記接続状態記憶制御部の制御により記憶される前記端末装置と前記第２以降のセルとの接続に関する情報に基づいて、前記端末装置の移動速度を検出するように制御する移動速度検出制御部を備える、
請求項１から請求項３または請求項１から請求項３に従属する請求項６のいずれか１項に記載の基地局装置。
【請求項８】
前記接続状態記憶制御部の制御により記憶される前記端末装置と前記第１のセルとの接続に関する情報および前記端末装置と前記第２以降のセルとの接続に関する情報に基づいて、前記端末装置の移動速度を検出するように制御する移動速度検出制御部を備える、
請求項１から請求項６のいずれか１項に記載の基地局装置。
【請求項９】
端末装置が第１のセルに接続されるとともに１個以上の第２以降のセルに接続される通信システムにおける前記端末装置であって、
自装置と前記第２以降のセルとの接続に関する情報を記憶するように制御する接続状態記憶制御部を備える、
端末装置。
【請求項１０】
前記接続状態記憶制御部は、自装置と前記第１のセルとの接続に関する情報を記憶するように制御する、
請求項９に記載の端末装置。
【請求項１１】
前記接続状態記憶制御部は、自装置と前記第１のセルとの接続に関する情報とは別に、自装置と前記第２以降のセルとの接続に関する情報を記憶するように制御する、
請求項１０に記載の端末装置。
【請求項１２】
前記接続状態記憶制御部は、自装置と前記第１のセルとの接続に関する情報と、自装置と前記第２以降のセルとの接続に関する情報と、を共通のテーブルで記憶するように制御する、
請求項１０に記載の端末装置。
【請求項１３】
前記接続状態記憶制御部は、前記第１のセルと前記第２以降のセルとの組み合わせの情報を含めて、自装置と前記第１のセルとの接続に関する情報と、自装置と前記第２以降のセルとの接続に関する情報と、を共通のテーブルで記憶するように制御する、
請求項１２に記載の端末装置。
【請求項１４】
前記接続状態記憶制御部は、自装置が接続されるセルを識別する情報と、自装置の接続に関する時間の情報を含む情報を記憶するように制御する、
請求項９から請求項１３のいずれか１項に記載の端末装置。
【請求項１５】
前記接続状態記憶制御部の制御により記憶される自装置と前記第２以降のセルとの接続に関する情報に基づいて、自装置の移動速度を検出するように制御する移動速度検出制御部を備える、
請求項９から請求項１１または請求項９から請求項１１に従属する請求項１４のいずれか１項に記載の端末装置。
【請求項１６】
前記接続状態記憶制御部の制御により記憶される自装置と前記第１のセルとの接続に関する情報および自装置と前記第２以降のセルとの接続に関する情報に基づいて、自装置の移動速度を検出するように制御する移動速度検出制御部を備える、
請求項９から請求項１４のいずれか１項に記載の端末装置。
【請求項１７】
端末装置が第１のセルに接続されるとともに１個以上の第２以降のセルに接続される通信システムであって、
前記端末装置と前記第２以降のセルとの接続に関する情報を記憶する、
通信システム。
【請求項１８】
端末装置が第１のセルに接続されるとともに１個以上の第２以降のセルに接続される通信システムにおける通信方法であって、
前記端末装置と前記第２以降のセルとの接続に関する情報を記憶する、
通信方法。
【発明の詳細な説明】
【技術分野】
【０００１】
本発明は、基地局装置、端末装置、通信システムおよび通信方法に関する。
【背景技術】
【０００２】
［キャリアアグリゲーションについて］
３ＧＰＰで検討されているＬＴＥ−Ａｄｖａｎｃｅｄシステムでは、周波数利用効率とピークスループットの向上を目的として、複数の周波数帯域（コンポーネントキャリア（ＣＣ：Ｃｏｍｐｏｎｅｎｔ  Ｃａｒｒｉｅｒ））を同時に使用するキャリアアグリゲーション（ＣＡ：Ｃａｒｒｉｅｒ  Ａｇｇｒｅｇａｔｉｏｎ）技術が採用されている（非特許文献１参照。）。
【０００３】
キャリアアグリゲーションの一つの形態であるインターサイト  キャリアアグリゲーション（Ｉｎｔｅｒ−Ｓｉｔｅ  ＣＡ）では、移動端末装置（ＵＥ：Ｕｓｅｒ  Ｅｑｕｉｐｍｅｎｔ）は、異なる場所に設置された複数の基地局装置（ｅＮＢ：Ｅ−ＵＴＲＡＮ  ＮｏｄｅＢ）と同時に接続し、基地局装置毎に異なる周波数帯域（ＣＣ）を使用して通信する。
キャリアアグリゲーションにおいて、セル群は、１個のＰＣｅｌｌ（Ｐｒｉｍａｒｙ  Ｃｅｌｌ）と、１個または複数個のＳＣｅｌｌ（Ｓｅｃｏｎｄａｒｙ  Ｃｅｌｌ）から構成される。
【０００４】
ＬＴＥでは、ＲＲＣ（Ｒａｄｉｏ  Ｒｅｓｏｕｒｃｅ  Ｃｏｎｔｒｏｌ）＿ｃｏｎｎｅｃｔｅｄ中におけるハンドオーバ（ＨＯ：Ｈａｎｄ  Ｏｖｅｒ）の回数およびＲＲＣ＿ｉｄｌｅ中におけるセルリセレクション（ＣＲ：Ｃｅｌｌ  Ｒｅｓｅｌｅｃｔｉｏｎ）の回数を一定時間について検出し、当該検出の結果に基づいて移動端末装置の移動速度を推定するＭＳＥ（Ｍｏｂｉｌｉｔｙ  Ｓｐｅｅｄ  Ｅｓｔｉｍａｔｉｏｎ）という仕組みがある（非特許文献２参照。）。
【０００５】
［デュアルコネクティビティについて］
さらに、基地局装置と移動端末装置との通信において、Ｃ−ＰｌａｎｅとＵ−Ｐｌａｎｅを分離して、それぞれを異なる基地局装置を介して伝送するネットワーク形態（デュアルコネクティビティ：Ｄｕａｌ  Ｃｏｎｎｅｃｔｉｖｉｔｙ）が提案されている（非特許文献３参照。）。
ここで、Ｃ−Ｐｌａｎｅは、移動端末装置の接続管理（ユーザ管理）やモビリティ制御を行うためのプロトコルである。移動端末装置の接続管理に関する情報は、ＭＭＥ（Ｍｏｂｉｌｉｔｙ  Ｍａｎａｇｅｍｅｎｔ  Ｅｎｔｉｔｙ）で保持される。ＭＭＥは、ユーザ管理や、モビリティ制御関連の処理を行う。
Ｕ−Ｐｌａｎｅは、ユーザトラヒックやスケジューリング情報の送受信に関するプロトコルである。基地局装置と移動端末装置で構成されるモバイルネットワークは、Ｓ−ＧＷ（Ｓｅｒｖｉｎｇ−Ｇａｔｅｗａｙ）を介して外部のインターネットと接続される。
【０００６】
デュアルコネクティビティにおいて、Ｃ−Ｐｌａｎｅのデータの送受信を司る基地局装置をＭｅＮＢ（Ｍａｓｔｅｒ  ｅＮＢ）と呼ぶ。ＭｅＮＢは、主に、移動端末装置のカバレッジ確保のために広くエリア展開される。ＭｅＮＢは、Ｕ−Ｐｌａｎｅの送受信も行う。
一方、Ｕ−Ｐｌａｎｅのみを送受信する基地局装置をＳｅＮＢ（Ｓｅｃｏｎｄａｒｙ  ｅＮＢ）と呼ぶ。ＳｅＮＢは、主に、容量拡大のためにスポット的に設置される。
【０００７】
［キャリアアグリゲーションとデュアルコネクティビティについて］
キャリアアグリゲーションが実行される場合、デュアルコネクティビティは実行されてもよく、または、実行されなくてもよい。
デュアルコネクティビティでは、基本的には、１個のＭｅＮＢに対して、１個のＳｅＮＢが設定される。それぞれのｅＮＢは、１個または複数個のセルを形成する。キャリアアグリゲーションにおけるＰＣｅｌｌはＭｅＮＢにより形成される。キャリアアグリゲーションにおけるＳＣｅｌｌはＭｅＮＢまたはＳｅＮＢにより形成される。
キャリアアグリゲーションでは、１個のＰＣｅｌｌに対して、１個から所定数個（例えば、４個）までのＳＣｅｌｌが設定される。ＵＥは、１個のＰＣｅｌｌに接続され、また、２個以上のＳＣｅｌｌに同時に接続されることがあり得る。例えば、第１のセルであるＰＣｅｌｌはＣ−Ｐｌａｎｅを扱うとともにＵ−Ｐｌａｎｅを扱うことが可能であり、第２以降のセルであるＳＣｅｌｌはＵ−Ｐｌａｎｅを扱うことが可能である。
なお、デュアルコネクティビティにおいて、１個のＭｅＮＢに対して、複数個のＳｅＮＢが設定される構成が考えられてもよい。
【先行技術文献】
【非特許文献】
【０００８】
【非特許文献１】３ＧＰＰ  ＴＳ３６．３００  ｖ１１．３．０、  “Ｅ−ＵＴＲＡ  ａｎｄ  Ｅ−ＵＴＲＡＮ  ｏｖｅｒａｌｌ  ｄｅｓｃｒｉｐｔｉｏｎ”、  ２０１２−０９．
【非特許文献２】３ＧＰＰ  ＴＲ３６．８３９  ｖ２．０．０、  “Ｍｏｂｉｌｉｔｙ  Ｅｎｈａｎｃｅｍｅｎｔｓ  ｉｎ  Ｈｅｔｅｒｏｇｅｎｅｏｕｓ  Ｎｅｔｗｏｒｋｓ”、  ２０１２−０８．
【非特許文献３】ＮＴＴ  ＤＯＣＯＭＯ  ＩＮＣ．、  “Ｒｅｑｕｉｒｅｍｅｎｔｓ，  Ｃａｎｄｉｄａｔｅ  Ｓｏｌｕｔｉｏｎｓ  ＆  Ｔｅｃｈｎｏｌｏｇｙ  Ｒｏａｄｍａｐ  ｆｏｒ  ＬＴＥ  Ｒｅｌ−１２  Ｏｎｗａｒｄ”、  ３ＧＰＰ  Ｗｏｒｋｓｈｏｐ  ｏｎ  Ｒｅｌｅａｓｅ  １２  ａｎｄ  ｏｎｗａｒｄｓ、  ＲＷＳ−１２００１０、  Ｊｕｎｅ  １１−１２、  ２０１２．
【発明の概要】
【発明が解決しようとする課題】
【０００９】
キャリアアグリゲーションでは、移動端末装置とＰＣｅｌｌとの接続の状態について、ハンドオーバの回数およびセルリセレクションの回数が集計され、その履歴の情報が記憶される。そして、その履歴の情報に基づいて、例えば、移動端末装置の移動速度が推定される。
しかしながら、前記のような移動端末装置の移動に関する履歴の情報が不十分な場合があった。このため、例えば、移動端末装置の移動速度の推定の精度が不十分な場合があった。
【００１０】
本発明は、このような事情を考慮してなされたもので、キャリアアグリゲーションにおいて、移動端末装置の移動に関する履歴の情報を精度良く確保することができる基地局装置、端末装置、通信システムおよび通信方法を提供することを課題とする。
【課題を解決するための手段】
【００１１】
（１）上記の課題を解決するために、本発明の一態様に係る基地局装置は、端末装置が第１のセルに接続されるとともに１個以上の第２以降のセルに接続される通信システムにおける前記第１のセルを形成する基地局装置であって、前記端末装置と前記第２以降のセルとの接続に関する情報を記憶するように制御する接続状態記憶制御部を備える。
【００１２】
（２）本発明の一態様は、上記した（１）に記載の基地局装置において、前記接続状態記憶制御部は、前記端末装置と前記第１のセルとの接続に関する情報を記憶するように制御する、構成が用いられてもよい。
【００１３】
（３）本発明の一態様は、上記した（２）に記載の基地局装置において、前記接続状態記憶制御部は、前記端末装置と前記第１のセルとの接続に関する情報とは別に、前記端末装置と前記第２以降のセルとの接続に関する情報を記憶するように制御する、構成が用いられてもよい。
【００１４】
（４）本発明の一態様は、上記した（２）に記載の基地局装置において、前記接続状態記憶制御部は、前記端末装置と前記第１のセルとの接続に関する情報と、前記端末装置と前記第２以降のセルとの接続に関する情報と、を共通のテーブルで記憶するように制御する、構成が用いられてもよい。
【００１５】
（５）本発明の一態様は、上記した（４）に記載の基地局装置において、前記接続状態記憶制御部は、前記第１のセルと前記第２以降のセルとの組み合わせの情報を含めて、前記端末装置と前記第１のセルとの接続に関する情報と、前記端末装置と前記第２以降のセルとの接続に関する情報と、を共通のテーブルで記憶するように制御する。
【００１６】
（６）本発明の一態様は、上記した（１）から上記した（５）のいずれか１つに記載の基地局装置において、前記接続状態記憶制御部は、前記端末装置が接続されるセルを識別する情報と、前記端末装置の接続に関する時間の情報を含む情報を記憶するように制御する、構成が用いられてもよい。
【００１７】
（７）本発明の一態様は、上記した（１）から上記した（３）または上記した（１）から上記した（３）に従属する上記した（６）のいずれか１つに記載の基地局装置において、前記接続状態記憶制御部の制御により記憶される前記端末装置と前記第２以降のセルとの接続に関する情報に基づいて、前記端末装置の移動速度を検出するように制御する移動速度検出制御部を備える、構成が用いられてもよい。
【００１８】
（８）本発明の一態様は、上記した（１）から上記した（６）のいずれか１つに記載の基地局装置において、前記接続状態記憶制御部の制御により記憶される前記端末装置と前記第１のセルとの接続に関する情報および前記端末装置と前記第２以降のセルとの接続に関する情報に基づいて、前記端末装置の移動速度を検出するように制御する移動速度検出制御部を備える、構成が用いられてもよい。
【００１９】
（９）上記の課題を解決するために、本発明の一態様に係る端末装置は、端末装置が第１のセルに接続されるとともに１個以上の第２以降のセルに接続される通信システムにおける前記端末装置であって、自装置と前記第２以降のセルとの接続に関する情報を記憶するように制御する接続状態記憶制御部を備える。
【００２０】
（１０）本発明の一態様は、上記した（９）に記載の端末装置において、前記接続状態記憶制御部は、自装置と前記第１のセルとの接続に関する情報を記憶するように制御する、構成が用いられてもよい。
【００２１】
（１１）本発明の一態様は、上記した（１０）に記載の端末装置において、前記接続状態記憶制御部は、自装置と前記第１のセルとの接続に関する情報とは別に、自装置と前記第２以降のセルとの接続に関する情報を記憶するように制御する、構成が用いられてもよい。
【００２２】
（１２）本発明の一態様は、上記した（１０）に記載の端末装置において、前記接続状態記憶制御部は、自装置と前記第１のセルとの接続に関する情報と、自装置と前記第２以降のセルとの接続に関する情報と、を共通のテーブルで記憶するように制御する、構成が用いられてもよい。
【００２３】
（１３）本発明の一態様は、上記した（１２）に記載の端末装置において、前記接続状態記憶制御部は、前記第１のセルと前記第２以降のセルとの組み合わせの情報を含めて、自装置と前記第１のセルとの接続に関する情報と、自装置と前記第２以降のセルとの接続に関する情報と、を共通のテーブルで記憶するように制御する、構成が用いられてもよい。
【００２４】
（１４）本発明の一態様は、上記した（９）から上記した（１３）のいずれか１つに記載の端末装置において、前記接続状態記憶制御部は、自装置が接続されるセルを識別する情報と、自装置の接続に関する時間の情報を含む情報を記憶するように制御する、構成が用いられてもよい。
【００２５】
（１５）本発明の一態様は、上記した（９）から上記した（１１）または上記した（９）から上記した（１１）に従属する上記した（１４）のいずれか１つに記載の端末装置において、前記接続状態記憶制御部の制御により記憶される自装置と前記第２以降のセルとの接続に関する情報に基づいて、自装置の移動速度を検出するように制御する移動速度検出制御部を備える、構成が用いられてもよい。
【００２６】
（１６）本発明の一態様は、上記した（９）から上記した（１４）のいずれか１つに記載の端末装置において、前記接続状態記憶制御部の制御により記憶される自装置と前記第１のセルとの接続に関する情報および自装置と前記第２以降のセルとの接続に関する情報に基づいて、自装置の移動速度を検出するように制御する移動速度検出制御部を備える、構成が用いられてもよい。
【００２７】
（１７）上記の課題を解決するために、本発明の一態様に係る通信システムは、端末装置が第１のセルに接続されるとともに１個以上の第２以降のセルに接続される通信システムであって、前記端末装置と前記第２以降のセルとの接続に関する情報を記憶する。
【００２８】
（１８）上記の課題を解決するために、本発明の一態様に係る通信方法は、端末装置が第１のセルに接続されるとともに１個以上の第２以降のセルに接続される通信システムにおける通信方法であって、前記端末装置と前記第２以降のセルとの接続に関する情報を記憶する。
【発明の効果】
【００２９】
本発明によれば、キャリアアグリゲーションにおいて、移動端末装置の移動に関する履歴の情報を精度良く確保することができる。
【図面の簡単な説明】
【００３０】
【図１】本発明の一実施形態に係るＰＣｅｌｌ装置の概略的な構成を示すブロック図である。
【図２】本発明の一実施形態に係るＵＥの概略的な構成を示すブロック図である。
【図３】本発明の一実施形態（第１実施形態）に係る通信システムにおいて行われる処理の様子の一例を示す図である。
【図４】本発明の一実施形態（第２実施形態）に係る通信システムにおいて行われる処理の様子の一例を示す図である。
【図５】本発明の一実施形態（第３実施形態）に係る通信システムにおいて行われる処理の様子の一例を示す図である。
【図６】ＵＥがＰＣｅｌｌを移動する様子の一例を示す図である。
【図７】ＵＥがＰＣｅｌｌおよびＳＣｅｌｌを移動する様子の一例を示す図である。
【発明を実施するための形態】
【００３１】
以下、図面を参照し、本発明の実施形態について説明する。
［ＵＥの移動について］
まず、ＵＥ１の移動について説明する。
図６は、ＵＥ１がＰＣｅｌｌを移動する様子の一例を示す図である。
図６には、ＵＥ１と、４個の基地局装置（ｅＮＢ）１１−１〜１１−４およびそれぞれの無線の通信領域１０１−１〜１０１−４を示してある。
図６の例では、説明を簡易化するために、それぞれの基地局装置１１−１〜１１−４が１個のセル（Ｃｅｌｌ）を形成するとする。
【００３２】
基地局装置１１−１は、ＰＣｅｌｌ（Ｃｅｌｌ＃Ａ）を形成する装置（ＰＣｅｌｌ装置）として機能している。
基地局装置１１−２は、ＰＣｅｌｌ（Ｃｅｌｌ＃Ｂ）を形成する装置（ＰＣｅｌｌ装置）として機能している。
基地局装置１１−３は、ＰＣｅｌｌ（Ｃｅｌｌ＃Ｃ）を形成する装置（ＰＣｅｌｌ装置）として機能している。
基地局装置１１−４は、ＰＣｅｌｌ（Ｃｅｌｌ＃Ｄ）を形成する装置（ＰＣｅｌｌ装置）として機能している。
それぞれの基地局装置１１−１〜１１−４は互いに異なる場所に設置されており、それぞれの基地局装置１１−１〜１１−４のセルに対応する通信領域１０１−１〜１０１−４は互いに異なる場所に形成されている。
【００３３】
図６の例では、ＵＥ１がＣｅｌｌ＃ＡからＣｅｌｌ＃Ｂへ移動してハンドオーバ３０１が発生しており、ＵＥ１がＣｅｌｌ＃ＢからＣｅｌｌ＃Ｃへ移動してハンドオーバ３０２が発生しており、ＵＥ１がＣｅｌｌ＃ＣからＣｅｌｌ＃Ｄへ移動してハンドオーバ３０３が発生している。
【００３４】
＜図６の例における手順（１）＞
Ｃｅｌｌ＃ＡからＣｅｌｌ＃Ｂへのハンドオーバ３０１が行われると、Ｃｅｌｌ＃Ｂの基地局装置１１−２において、当該ハンドオーバ３０１に関する情報をセルヒストリテーブル（Ｃｅｌｌ  Ｈｉｓｔｏｒｙ  Ｔａｂｌｅ）に記憶（記録）する。
ここで、セルヒストリテーブルには、セルの識別情報（Ｃｅｌｌ−ＩＤ）と、ＵＥ１がセルに滞在した時間（ＴｏＳ：Ｔｉｍｅ  ｏｆ  Ｓｔａｙ）の情報が、対応付けられて記憶される。図６の例では、Ｃｅｌｌ−ＩＤとして「Ｃｅｌｌ＃Ａ」、「Ｃｅｌｌ＃Ｂ」、「Ｃｅｌｌ＃Ｃ」、「Ｃｅｌｌ＃Ｄ」が用いられており、ＴｏＳとして秒数（例えば、５秒の場合には「５ｓ」）が用いられている。
【００３５】
＜図６の例における手順（２）＞
Ｃｅｌｌ＃ＢからＣｅｌｌ＃Ｃへのハンドオーバ３０２が行われると、Ｃｅｌｌ＃Ｃの基地局装置１１−３において、当該ハンドオーバ３０２に関する情報をセルヒストリテーブルに記憶する。
セルヒストリテーブルには、過去のハンドオーバ３０１に関する情報に、今回のハンドオーバ３０２に関する情報が追加される。
【００３６】
＜図６の例における手順（３）＞
Ｃｅｌｌ＃ＣからＣｅｌｌ＃Ｄへのハンドオーバ３０３が行われると、Ｃｅｌｌ＃Ｄの基地局装置１１−４において、当該ハンドオーバ３０３に関する情報をセルヒストリテーブルに記憶する。
セルヒストリテーブルには、過去のハンドオーバ３０１〜３０２に関する情報に、今回のハンドオーバ３０３に関する情報が追加される。
【００３７】
ここで、一構成例として、それぞれの基地局装置１１−１〜１１−４は、セルヒストリテーブルにおける過去のハンドオーバに関する情報を、その情報を記憶する他の基地局装置と通信することで取得する。具体例として、ＵＥ１のハンドオーバが行われる際に、当該ＵＥ１に関して、ハンドオーバ元の基地局装置が記憶するセルヒストリテーブルの情報をハンドオーバ先の基地局装置へ通知する。
他の構成例として、それぞれの基地局装置１１−１〜１１−４は、セルヒストリテーブルにおける過去のハンドオーバに関する情報を、その情報を記憶するＵＥ１と通信することで取得する。具体例として、ＵＥ１は自装置に関するセルヒストリテーブルの情報を記憶しており、ＵＥ１のハンドオーバが行われる際に、ＵＥ１が記憶するセルヒストリテーブルの情報をハンドオーバ先の基地局装置へ通知する。
【００３８】
図７は、ＵＥ１がＰＣｅｌｌおよびＳＣｅｌｌを移動する様子の一例を示す図である。
図７では、各装置等の符号として、図６に示されるものと同じ符号を付して説明する。
図７には、ＵＥ１と、ＰＣｅｌｌを形成する４個の基地局装置（ｅＮＢ）１１−１〜１１−４およびそれぞれの無線の通信領域１０１−１〜１０１−４と、ＳＣｅｌｌを形成する４個の基地局装置（ｅＮＢ）１２−１〜１２−４およびそれぞれの無線の通信領域１０２−１〜１０２−４を示してある。
図７の例では、説明を簡易化するために、それぞれの基地局装置１１−１〜１１−４、１２−１〜１２−４が１個のセル（Ｃｅｌｌ）を形成するとする。
【００３９】
基地局装置１１−１、１１−２、１１−３、１１−４は、それぞれ、ＰＣｅｌｌ（Ｃｅｌｌ＃Ａ）、ＰＣｅｌｌ（Ｃｅｌｌ＃Ｂ）、ＰＣｅｌｌ（Ｃｅｌｌ＃Ｃ）、ＰＣｅｌｌ（Ｃｅｌｌ＃Ｄ）を形成する装置（ＰＣｅｌｌ装置）として機能している。
基地局装置１２−１、１２−２、１２−３、１２−４は、それぞれ、ＳＣｅｌｌ（Ｃｅｌｌ＃１）、ＳＣｅｌｌ（Ｃｅｌｌ＃２）、ＳＣｅｌｌ（Ｃｅｌｌ＃３）、ＳＣｅｌｌ（Ｃｅｌｌ＃４）を形成する装置（ＳＣｅｌｌ装置）として機能している。
【００４０】
それぞれのＰＣｅｌｌの基地局装置１１−１〜１１−４は互いに異なる場所に設置されており、それぞれの基地局装置１１−１〜１１−４のセルに対応する通信領域１０１−１〜１０１−４は互いに異なる場所に形成されている。
それぞれのＳＣｅｌｌの基地局装置１２−１〜１２−４は互いに異なる場所に設置されており、それぞれの基地局装置１２−１〜１２−４のセルに対応する通信領域１０２−１〜１０２−４は互いに異なる場所に形成されている。
ＳＣｅｌｌの基地局装置１２−１の通信領域１０２−１はＰＣｅｌｌの基地局装置１１−１の通信領域１０１−１に含まれており、ＳＣｅｌｌの基地局装置１２−２の通信領域１０２−２およびＳＣｅｌｌの基地局装置１２−３の通信領域１０２−３はＰＣｅｌｌの基地局装置１１−２の通信領域１０１−２に含まれており、ＳＣｅｌｌの基地局装置１２−４の通信領域１０２−４はＰＣｅｌｌの基地局装置１１−４の通信領域１０１−４に含まれている。
【００４１】
図７の例では、ＵＥ１は、ＰＣｅｌｌについて、Ｃｅｌｌ＃Ａから、Ｃｅｌｌ＃Ｂ、Ｃｅｌｌ＃Ｃ、Ｃｅｌｌ＃Ｄの順に移動している。この際、ＵＥ１は、ＳＣｅｌｌについて、Ｃｅｌｌ＃１、Ｃｅｌｌ＃２、Ｃｅｌｌ＃３、Ｃｅｌｌ＃４にも移動している。
ＰＣｅｌｌのハンドオーバについて、ＵＥ１がＣｅｌｌ＃ＡからＣｅｌｌ＃Ｂへ移動してハンドオーバ３０１が発生しており、ＵＥ１がＣｅｌｌ＃ＢからＣｅｌｌ＃Ｃへ移動してハンドオーバ３０２が発生しており、ＵＥ１がＣｅｌｌ＃ＣからＣｅｌｌ＃Ｄへ移動してハンドオーバ３０３が発生している。
【００４２】
＜図７の例におけるＳＣｅｌｌの移動（１）＞
ＵＥ１は、ＰＣｅｌｌであるＣｅｌｌ＃Ａにおいて、ＳＣｅｌｌであるＣｅｌｌ＃１にアタッチ（ａｔｔａｃｈ）している。
＜図７の例におけるＳＣｅｌｌの移動（２）＞
その後、ＵＥ１は、ＳＣｅｌｌであるＣｅｌｌ＃１からデタッチ（ｄｅｔａｃｈ）している。
【００４３】
＜図７の例におけるＳＣｅｌｌの移動（３）＞
ＵＥ１は、ＰＣｅｌｌであるＣｅｌｌ＃Ｂにおいて、ＳＣｅｌｌであるＣｅｌｌ＃２にアタッチしている。
＜図７の例におけるＳＣｅｌｌの移動（４）＞
その後、ＵＥ１は、ＳＣｅｌｌであるＣｅｌｌ＃２からデタッチしている。
＜図７の例におけるＳＣｅｌｌの移動（５）＞
その後、ＵＥ１は、ＰＣｅｌｌであるＣｅｌｌ＃Ｂにおいて、ＳＣｅｌｌであるＣｅｌｌ＃３にアタッチしている。
＜図７の例におけるＳＣｅｌｌの移動（６）＞
その後、ＵＥ１は、ＳＣｅｌｌであるＣｅｌｌ＃３からデタッチしている。
【００４４】
＜図７の例におけるＳＣｅｌｌの移動（７）＞
ＵＥ１は、ＰＣｅｌｌであるＣｅｌｌ＃Ｄにおいて、ＳＣｅｌｌであるＣｅｌｌ＃４にアタッチしている。
【００４５】
ここで、図６および図７の例では、ＰＣｅｌｌに関するＵＥ１の移動についてはセルヒストリテーブルで管理するが、ＳＣｅｌｌに関するＵＥ１の移動についてはセルヒストリテーブルが無い。
これに対して、本発明に係る実施形態では、ＳＣｅｌｌに関するＵＥ１の移動についてセルヒストリテーブルを管理し、キャリアアグリゲーションにおいて、ＵＥ１の移動に関する履歴の情報を精度良く確保することを図る。
【００４６】
［第１実施形態］
以下では、各装置等の符号として、図６および図７に示されるものと同じ符号を付して説明する。
＜通信システムの概要＞
図１は、本発明の一実施形態に係るＰＣｅｌｌを形成する装置として機能する基地局装置（ＰＣｅｌｌ装置１１として説明する。）の概略的な構成を示すブロック図である。
本実施形態に係るＰＣｅｌｌ装置１１は、通信部１０１１と、記憶部１０１２と、制御部１０１３を備える。
制御部１０１３は、接続状態検出制御部１０３１と、接続状態通知制御部１０３２と、接続状態記憶制御部１０３３と、移動速度検出制御部１０３４を備える。
【００４７】
通信部１０１１は、外部の装置との間で無線や有線で通信する。本実施形態では、通信部１０１１は、ＰＣｅｌｌ装置１１の通信領域（通信領域１０１として説明する。）に存在するＵＥ１との間で、無線により信号を送受信（送信や受信）する。また、通信部１０１１は、有線（または、無線）により、他のＰＣｅｌｌ装置との間や、ＳＣｅｌｌを形成する装置として機能する他の基地局装置（ＳＣｅｌｌ装置）との間で、信号を送受信する。
記憶部１０１２は、メモリを用いて構成されており、各種のデータを記憶する。具体例として、記憶部１０１２は、制御部１０１３により使用されるプログラムのデータや、各種のパラメータのデータや、ＵＥ１の接続状態に関するデータなどを記憶する。
【００４８】
制御部１０１３は、所定のプログラムを実行することで、各種の処理や制御を行う。
接続状態検出制御部１０３１は、自装置（ＰＣｅｌｌ装置１１）とＵＥ１との接続の状態や、自装置（ＰＣｅｌｌ装置１１）により管理しているＳＣｅｌｌ装置とＵＥ１との接続の状態を検出するように制御する。
接続状態通知制御部１０３２は、ＵＥ１の接続状態に関する情報を所定の装置に通知するように制御し、また、ＵＥ１の接続状態に関する情報を所定の装置からの通知により受信するように制御する。
接続状態記憶制御部１０３３は、ＵＥ１の接続状態に関する情報を記憶部１０１２に記憶するように制御する。
移動速度検出制御部１０３４は、記憶部１０１２に記憶されたＵＥ１の接続状態に関する情報に基づいて、当該ＵＥ１の移動速度を検出する（推定的に検出してもよい。）ように制御する。
【００４９】
ここで、本実施形態では、ＰＣｅｌｌ装置１１は、自装置の通信領域１０１にＳＣｅｌｌの通信領域が含まれるＳＣｅｌｌ装置の当該ＳＣｅｌｌについて、当該ＳＣｅｌｌに対するＵＥ１の接続の状態を管理する。
また、本実施形態では、ＵＥ１の接続状態に関する情報として、セルヒストリテーブルの情報が用いられる。
本実施形態では、ＰＣｅｌｌとＳＣｅｌｌの両方について、セルに対するＵＥ１の接続の状態に関する情報を記憶して管理する。
【００５０】
図２は、本発明の一実施形態に係るＵＥ１の概略的な構成を示すブロック図である。
本実施形態に係るＵＥ１は、通信部２０１１と、記憶部２０１２と、制御部２０１３を備える。
制御部２０１３は、接続状態検出制御部２０３１と、接続状態通知制御部２０３２と、接続状態記憶制御部２０３３と、移動速度検出制御部２０３４を備える。
【００５１】
通信部２０１１は、外部の装置との間で無線や有線で通信する。本実施形態では、通信部２０１１は、ＰＣｅｌｌ装置１１との間や、ＳＣｅｌｌ装置との間で、無線により信号を送受信（送信や受信）する。
記憶部２０１２は、メモリを用いて構成されており、各種のデータを記憶する。具体例として、記憶部２０１２は、制御部２０１３により使用されるプログラムのデータや、各種のパラメータのデータや、自装置（ＵＥ１）の接続状態に関するデータなどを記憶する。
【００５２】
制御部２０１３は、所定のプログラムを実行することで、各種の処理や制御を行う。
接続状態検出制御部２０３１は、自装置（ＵＥ１）とＰＣｅｌｌ装置との接続の状態や、自装置（ＵＥ１）とＳＣｅｌｌ装置との接続の状態を検出するように制御する。
接続状態通知制御部２０３２は、自装置（ＵＥ１）の接続状態に関する情報を所定の装置に通知するように制御し、また、自装置（ＵＥ１）の接続状態に関する情報を所定の装置からの通知により受信するように制御する。
接続状態記憶制御部２０３３は、自装置（ＵＥ１）の接続状態に関する情報を記憶部２０１２に記憶するように制御する。
移動速度検出制御部２０３４は、記憶部２０１２に記憶された自装置（ＵＥ１）の接続状態に関する情報に基づいて、自装置の移動速度を検出する（推定的に検出してもよい。）ように制御する。
【００５３】
＜ＵＥの接続状態の管理の例＞
図３は、本発明の一実施形態（第１実施形態）に係る通信システムにおいて行われる処理の様子の一例を示す図である。
図３には、ＵＥ１と、ＰＣｅｌｌを形成する４個の基地局装置（ｅＮＢ）１１−１〜１１−４およびそれぞれの無線の通信領域１０１−１〜１０１−４と、ＳＣｅｌｌを形成する４個の基地局装置（ｅＮＢ）１２−１〜１２−４およびそれぞれの無線の通信領域１０２−１〜１０２−４を示してある。
図３の例では、説明を簡易化するために、それぞれの基地局装置１１−１〜１１−４、１２−１〜１２−４が１個のセル（Ｃｅｌｌ）を形成するとする。他の構成例として、１個の基地局装置が２個以上のセルを形成する場合には、セルを単位として、それぞれのセルごとに各種の処理を実行する。
【００５４】
基地局装置１１−１、１１−２、１１−３、１１−４は、それぞれ、ＰＣｅｌｌ（Ｃｅｌｌ＃Ａ）、ＰＣｅｌｌ（Ｃｅｌｌ＃Ｂ）、ＰＣｅｌｌ（Ｃｅｌｌ＃Ｃ）、ＰＣｅｌｌ（Ｃｅｌｌ＃Ｄ）を形成する装置（ＰＣｅｌｌ装置）として機能している。
基地局装置１２−１、１２−２、１２−３、１２−４は、それぞれ、ＳＣｅｌｌ（Ｃｅｌｌ＃１）、ＳＣｅｌｌ（Ｃｅｌｌ＃２）、ＳＣｅｌｌ（Ｃｅｌｌ＃３）、ＳＣｅｌｌ（Ｃｅｌｌ＃４）を形成する装置（ＳＣｅｌｌ装置）として機能している。
【００５５】
それぞれのＰＣｅｌｌの基地局装置１１−１〜１１−４は互いに異なる場所に設置されており、それぞれの基地局装置１１−１〜１１−４のセルに対応する通信領域１０１−１〜１０１−４は互いに異なる場所に形成されている。
それぞれのＳＣｅｌｌの基地局装置１２−１〜１２−４は互いに異なる場所に設置されており、それぞれの基地局装置１２−１〜１２−４のセルに対応する通信領域１０２−１〜１０２−４は互いに異なる場所に形成されている。
ＳＣｅｌｌの基地局装置１２−１の通信領域１０２−１はＰＣｅｌｌの基地局装置１１−１の通信領域１０１−１に含まれており、ＳＣｅｌｌの基地局装置１２−２の通信領域１０２−２およびＳＣｅｌｌの基地局装置１２−３の通信領域１０２−３はＰＣｅｌｌの基地局装置１１−２の通信領域１０１−２に含まれており、ＳＣｅｌｌの基地局装置１２−４の通信領域１０２−４はＰＣｅｌｌの基地局装置１１−４の通信領域１０１−４に含まれている。
【００５６】
図３の例では、ＵＥ１は、ＰＣｅｌｌについて、Ｃｅｌｌ＃Ａから、Ｃｅｌｌ＃Ｂ、Ｃｅｌｌ＃Ｃ、Ｃｅｌｌ＃Ｄの順に移動している。この際、ＵＥ１は、ＳＣｅｌｌについて、Ｃｅｌｌ＃１、Ｃｅｌｌ＃２、Ｃｅｌｌ＃３、Ｃｅｌｌ＃４にも移動している。
ＰＣｅｌｌのハンドオーバについて、ＵＥ１がＣｅｌｌ＃ＡからＣｅｌｌ＃Ｂへ移動してハンドオーバ３０１が発生しており、ＵＥ１がＣｅｌｌ＃ＢからＣｅｌｌ＃Ｃへ移動してハンドオーバ３０２が発生しており、ＵＥ１がＣｅｌｌ＃ＣからＣｅｌｌ＃Ｄへ移動してハンドオーバ３０３が発生している。
【００５７】
図３の例で示される通信システムの概要およびＵＥ１の移動の経路は図７の例で示されるものと同様であるが、本実施形態に係る通信システムでは、ＰＣｅｌｌについてＵＥ１の接続の履歴（ＰＣｅｌｌのヒストリテーブル）の情報を記憶し、および、ＳＣｅｌｌについてＵＥ１の接続の履歴（ＳＣｅｌｌのヒストリテーブル）の情報を記憶する。
【００５８】
本実施形態では、それぞれのＰＣｅｌｌの基地局装置１１−１〜１１−４（ＰＣｅｌｌ装置１１）は、ＰＣｅｌｌのヒストリテーブルの情報と、ＳＣｅｌｌのヒストリテーブルの情報を記憶部１０１２に記憶して保持する。
それぞれのＰＣｅｌｌの基地局装置１１−１〜１１−４は、接続状態検出制御部１０３１の制御により、自装置とＵＥ１との接続の状態を検出し、また、自装置により管理しているＳＣｅｌｌの基地局装置とＵＥ１との接続の状態を検出する。ここで、それぞれのＰＣｅｌｌの基地局装置１１−１〜１１−４は、自装置の通信領域１０１−１〜１０１−４にＳＣｅｌｌの通信領域が含まれるＳＣｅｌｌの基地局装置の当該ＳＣｅｌｌについて、当該ＳＣｅｌｌに対するＵＥ１の接続の状態を管理する。図３の例では、ＰＣｅｌｌの基地局装置１１−１はＳＣｅｌｌの基地局装置１２−１を管理しており、ＰＣｅｌｌの基地局装置１１−２はＳＣｅｌｌの基地局装置１２−２および基地局装置１２−３を管理しており、ＰＣｅｌｌの基地局装置１１−４はＳＣｅｌｌの基地局装置１２−４を管理している。
【００５９】
それぞれのＰＣｅｌｌの基地局装置１１−１〜１１−４は、接続状態通知制御部１０３２の制御により、ＵＥ１の接続状態に関する情報を所定の装置に通知することや、ＵＥ１の接続状態に関する情報を所定の装置からの通知により受信することを行う。通知先の所定の装置としては、例えば、ハンドオーバ元のＰＣｅｌｌの基地局装置から見たハンドオーバ先のＰＣｅｌｌの基地局装置や、接続しているＵＥ１などがある。通知元の所定の装置としては、例えば、ＵＥ１などがある。
具体的には、ＵＥ１のハンドオーバが行われる際に、当該ＵＥ１に関して、ハンドオーバ元のＰＣｅｌｌの基地局装置１１−１〜１１−４が記憶するＰＣｅｌｌのヒストリテーブルの情報およびＳＣｅｌｌのヒストリテーブルの情報をハンドオーバ先のＰＣｅｌｌの基地局装置１１−１〜１１−４へ通知する。また、ＵＥ１のハンドオーバが行われる際に、当該ＵＥ１が記憶するＰＣｅｌｌのヒストリテーブルの情報およびＳＣｅｌｌのヒストリテーブルの情報をハンドオーバ先のＰＣｅｌｌの基地局装置１１−１〜１１−４へ通知してもよい。これらの一方または両方により、ハンドオーバ先のＰＣｅｌｌの基地局装置１１−１〜１１−４では、過去のハンドオーバに関する情報を含めて、ＵＥ１のハンドオーバに関する情報を取得することができる。
なお、それぞれのＰＣｅｌｌの基地局装置１１−１〜１１−４は、記憶するＰＣｅｌｌのヒストリテーブルの情報およびＳＣｅｌｌのヒストリテーブルの情報を、通信領域１０１−１〜１０１−４に存在するＵＥ１（接続しているＵＥ１）に対して通知してもよい。
【００６０】
それぞれのＰＣｅｌｌの基地局装置１１−１〜１１−４は、接続状態記憶制御部１０３３の制御により、自装置により検出した情報や、他の装置から通知された情報に基づいて、記憶部１０１２に記憶するＰＣｅｌｌのヒストリテーブルの情報およびＳＣｅｌｌのヒストリテーブルの情報に新たな情報を追加的に記憶して更新する。
【００６１】
本実施形態では、ＵＥ１は、自装置（当該ＵＥ１）に関して、ＰＣｅｌｌのヒストリテーブルの情報と、ＳＣｅｌｌのヒストリテーブルの情報を記憶部１０１２に記憶する。
ＵＥ１は、接続状態検出制御部２０３１の制御により、自装置とＰＣｅｌｌの基地局装置１１−１〜１１−４との接続の状態を検出し、また、自装置とＳＣｅｌｌの基地局装置１２−１〜１２−４との接続の状態を検出する。
【００６２】
ＵＥ１は、接続状態通知制御部２０３２の制御により、自装置の接続状態に関する情報を所定の装置に通知することや、自装置の接続状態に関する情報を所定の装置からの通知により受信することを行う。通知先の所定の装置としては、例えば、ハンドオーバ先のＰＣｅｌｌの基地局装置などがある。通知元の所定の装置としては、例えば、接続しているＰＣｅｌｌの基地局装置などがある。
【００６３】
ＵＥ１は、接続状態記憶制御部２０３３の制御により、自装置により検出した情報や、他の装置から通知された情報に基づいて、記憶部２０１２に記憶するＰＣｅｌｌのヒストリテーブルの情報およびＳＣｅｌｌのヒストリテーブルの情報に新たな情報を追加的に記憶して更新する。
【００６４】
ここで、本実施形態では、ＰＣｅｌｌの基地局装置１１−１〜１１−４とＵＥ１の両方において、当該ＵＥに関して、ＰＣｅｌｌのヒストリテーブルの情報や、ＳＣｅｌｌのヒストリテーブルの情報を記憶するが、他の構成例として、ＰＣｅｌｌの基地局装置１１−１〜１１−４とＵＥ１のうちの一方のみにおいて、ＰＣｅｌｌのヒストリテーブルの情報や、ＳＣｅｌｌのヒストリテーブルの情報を記憶する構成が用いられてもよい。また、他の構成例として、ＰＣｅｌｌの基地局装置１１−１〜１１−４やＵＥ１とは別の装置（例えば、ＳＣｅｌｌの基地局装置１２−１〜１２−４など）において、ＰＣｅｌｌのヒストリテーブルの情報や、ＳＣｅｌｌのヒストリテーブルの情報を記憶する構成が用いられてもよい。
【００６５】
＜図３の例におけるＣｅｌｌの移動の前提＞
まず、ＵＥ１は、ＰＣｅｌｌであるＣｅｌｌ＃Ａに接続しており、ＳＣｅｌｌであるＣｅｌｌ＃１に接続（アタッチ）しているとする。
【００６６】
ＰＣｅｌｌのヒストリテーブルでは、ＰＣｅｌｌとＵＥ１との接続の状態に関し、セルの識別情報（Ｃｅｌｌ−ＩＤ）と、ＵＥ１がセルに滞在した時間（ＴｏＳ）に相当する接続時間の情報が、対応付けられて記憶される。図３の例では、Ｃｅｌｌ−ＩＤとして「Ｃｅｌｌ＃Ａ」、「Ｃｅｌｌ＃Ｂ」、「Ｃｅｌｌ＃Ｃ」、「Ｃｅｌｌ＃Ｄ」が用いられており、ＴｏＳとして秒数（例えば、５秒の場合には「５ｓ」）が用いられている。なお、ヒストリテーブルにより管理されるＰＣｅｌｌの数は、例えば、５個以上であってもよく、または、３個以下であってもよい。また、複数のＵＥ１が存在する場合には、それぞれのＵＥ１の接続の状態に関する情報が、例えば、まとめて、または、個別に、管理される。例えば、それぞれのＰＣｅｌｌの基地局装置１１−１〜１１−４では１個または複数のＵＥ１に関する情報をまとめて管理し、それぞれのＵＥ１では自装置に関する情報（のみ）を管理する。
【００６７】
ＳＣｅｌｌのヒストリテーブルでは、ＳＣｅｌｌとＵＥ１との接続の状態に関し、セルの識別情報（Ｃｅｌｌ−ＩＤ）と、ＵＥ１がセルに滞在した時間（ＴｏＳ）に相当する接続時間の情報が、対応付けられて記憶される。図３の例では、Ｃｅｌｌ−ＩＤとして「Ｃｅｌｌ＃１」、「Ｃｅｌｌ＃２」、「Ｃｅｌｌ＃３」、「Ｃｅｌｌ＃４」が用いられており、ＴｏＳとして秒数（例えば、５秒の場合には「５ｓ」）が用いられている。なお、ヒストリテーブルにより管理されるＳＣｅｌｌの数は、例えば、５個以上であってもよく、または、３個以下であってもよい。また、複数のＵＥ１が存在する場合には、それぞれのＵＥ１の接続の状態に関する情報が、例えば、まとめて、または、個別に、管理される。例えば、それぞれのＳＣｅｌｌの基地局装置１２−１〜１２−４では１個または複数のＵＥ１に関する情報をまとめて管理し、それぞれのＵＥ１では自装置に関する情報（のみ）を管理する。
【００６８】
＜図３の例におけるＣｅｌｌの移動（１）＞
ＵＥ１は、ＰＣｅｌｌのＣｅｌｌ＃Ａに接続した状態のまま、ＳＣｅｌｌのＣｅｌｌ＃１から接続解除（デタッチ）する。このとき、ＰＣｅｌｌのＣｅｌｌ＃Ａの基地局装置１１−１では、ＳＣｅｌｌのヒストリテーブルに、ＳＣｅｌｌのＣｅｌｌ＃１の識別情報およびＵＥ１がＳＣｅｌｌのＣｅｌｌ＃１に滞在した時間（接続時間）の情報を記憶する。図３の例では、ＳＣｅｌｌのＣｅｌｌ＃１の識別情報である「Ｃｅｌｌ＃１」と、接続時間の情報である「２ｓ」とが対応付けられて記憶されている。
【００６９】
ここで、ＰＣｅｌｌのＣｅｌｌ＃Ａの基地局装置１１−１では、自装置の配下に存在するＳＣｅｌｌのＣｅｌｌ＃１に対するＵＥ１の接続（アタッチ）や接続解除（デタッチ）を指示することや管理することを行うため、その接続や接続解除を把握することができる。このことは、他のＰＣｅｌｌやＳＣｅｌｌについても、同様である。
【００７０】
＜図３の例におけるＣｅｌｌの移動（２）＞
ＵＥ１は、ＰＣｅｌｌのＣｅｌｌ＃ＡからＰＣｅｌｌのＣｅｌｌ＃Ｂへ移動し、これにより、ハンドオーバ３０１が行われる。このとき、ＰＣｅｌｌのＣｅｌｌ＃Ｂの基地局装置１１−２では、ＰＣｅｌｌのヒストリテーブルに、ＰＣｅｌｌのＣｅｌｌ＃Ａの識別情報およびＵＥ１がＰＣｅｌｌのＣｅｌｌ＃Ａに滞在した時間（接続時間）の情報を記憶する。図３の例では、ＰＣｅｌｌのＣｅｌｌ＃Ａの識別情報である「Ｃｅｌｌ＃Ａ」と、接続時間の情報である「５ｓ」とが対応付けられて記憶されている。
【００７１】
ここで、ＰＣｅｌｌのＣｅｌｌ＃Ｂの基地局装置１１−２では、ハンドオーバ３０１に際して、ＰＣｅｌｌのＣｅｌｌ＃Ａの基地局装置１１−１からＰＣｅｌｌのヒストリテーブルおよびＳＣｅｌｌのヒストリテーブルの情報を受信して引き継ぐ。また、ＰＣｅｌｌのＣｅｌｌ＃Ｂの基地局装置１１−２では、ハンドオーバ３０１に際して、ＵＥ１からＰＣｅｌｌのヒストリテーブルおよびＳＣｅｌｌのヒストリテーブルの情報を受信して取得してもよい。このことは、他のハンドオーバ３０２〜３０３についても同様である。
【００７２】
＜図３の例におけるＣｅｌｌの移動（３）＞
ＵＥ１は、ＰＣｅｌｌのＣｅｌｌ＃Ｂに接続した状態のまま、ＳＣｅｌｌのＣｅｌｌ＃２に接続する。このとき、ＰＣｅｌｌのＣｅｌｌ＃Ｂの基地局装置１１−２では、ＳＣｅｌｌのヒストリテーブルを引き継ぐ。
本実施形態では、基地局装置１１−１〜１１−３では、ＳＣｅｌｌのヒストリテーブルに、ＵＥ１がいずれのＳＣｅｌｌとも接続されていない時間も記憶する。つまり、基地局装置１１−１〜１１−３では、ＰＣｅｌｌのみと接続しているＵＥ１がＳＣｅｌｌとの接続を開始する場合に、当該ＰＣｅｌｌのみと接続していた時間を記憶する。図３の例では、ＳＣｅｌｌのＣｅｌｌの識別情報の欄に「――――――――」と記述され、時間（ＳＣｅｌｌと接続されていない時間）の情報である「３ｓ」が対応付けられて記憶されている。
【００７３】
＜図３の例におけるＣｅｌｌの移動（４）＞
ＵＥ１は、ＰＣｅｌｌのＣｅｌｌ＃Ｂに接続した状態のまま、ＳＣｅｌｌのＣｅｌｌ＃２から接続解除する。このとき、ＰＣｅｌｌのＣｅｌｌ＃Ｂの基地局装置１１−２では、図３に示されるように、ＳＣｅｌｌのヒストリテーブルに、ＳＣｅｌｌのＣｅｌｌ＃２の識別情報およびＵＥ１がＳＣｅｌｌのＣｅｌｌ＃２に滞在した時間（接続時間）の情報を記憶する。
【００７４】
＜図３の例におけるＣｅｌｌの移動（５）＞
ＵＥ１は、ＰＣｅｌｌのＣｅｌｌ＃Ｂに接続した状態のまま、ＳＣｅｌｌのＣｅｌｌ＃３に接続する。このとき、ＰＣｅｌｌのＣｅｌｌ＃Ｂの基地局装置１１−２では、図３に示されるように、ＳＣｅｌｌのヒストリテーブルを更新する。
【００７５】
＜図３の例におけるＣｅｌｌの移動（６）＞
ＵＥ１は、ＰＣｅｌｌのＣｅｌｌ＃Ｂに接続した状態のまま、ＳＣｅｌｌのＣｅｌｌ＃３から接続解除する。このとき、ＰＣｅｌｌのＣｅｌｌ＃Ｂの基地局装置１１−２では、図３に示されるように、ＳＣｅｌｌのヒストリテーブルを更新する。
【００７６】
＜図３の例におけるＣｅｌｌの移動（７）＞
ＵＥ１は、ＰＣｅｌｌのＣｅｌｌ＃ＢからＰＣｅｌｌのＣｅｌｌ＃Ｃへ移動し、これにより、ハンドオーバ３０２が行われる。このとき、ＰＣｅｌｌのＣｅｌｌ＃Ｃの基地局装置１１−３では、図３に示されるように、ＰＣｅｌｌのヒストリテーブルに、ＰＣｅｌｌのＣｅｌｌ＃Ｂの識別情報およびＵＥ１がＰＣｅｌｌのＣｅｌｌ＃Ｂに滞在した時間（接続時間）の情報を記憶する。
【００７７】
＜図３の例におけるＣｅｌｌの移動（８）＞
ＵＥ１は、ＰＣｅｌｌのＣｅｌｌ＃ＣからＰＣｅｌｌのＣｅｌｌ＃Ｄへ移動し、これにより、ハンドオーバ３０３が行われる。このとき、ＰＣｅｌｌのＣｅｌｌ＃Ｄの基地局装置１１−４では、図３に示されるように、ＰＣｅｌｌのヒストリテーブルに、ＰＣｅｌｌのＣｅｌｌ＃Ｃの識別情報およびＵＥ１がＰＣｅｌｌのＣｅｌｌ＃Ｃに滞在した時間（接続時間）の情報を記憶する。
【００７８】
＜図３の例におけるＣｅｌｌの移動（９）＞
ＵＥ１は、ＰＣｅｌｌのＣｅｌｌ＃Ｄに接続した状態のまま、ＳＣｅｌｌのＣｅｌｌ＃４に接続する。このとき、ＰＣｅｌｌのＣｅｌｌ＃Ｄの基地局装置１１−４では、図３に示されるように、ＳＣｅｌｌのヒストリテーブルを更新する。
【００７９】
ここで、図３の例は一例であり、本実施形態に係る通信システムでは、図３の例の場合と同様に、ＵＥ１の移動に応じて、それぞれのＰＣｅｌｌの基地局装置１１−１〜１１−３は、ＰＣｅｌｌのヒストリテーブルの内容およびＳＣｅｌｌのヒストリテーブルの内容を更新していく。
【００８０】
＜ＵＥ１の移動速度の検出の例＞
本実施形態では、それぞれのＰＣｅｌｌの基地局装置１１−１〜１１−４は、移動速度検出制御部１０３４の制御により、記憶部１０１２に記憶されたＵＥ１の接続状態に関する情報（本実施形態では、ＰＣｅｌｌやＳＣｅｌｌのヒストリテーブルの情報）に基づいて、当該ＵＥ１の移動速度を検出する。
また、本実施形態では、ＵＥ１は、移動速度検出制御部２０３４の制御により、記憶部２０１２に記憶された自装置（ＵＥ１）の接続状態に関する情報（本実施形態では、ＰＣｅｌｌやＳＣｅｌｌのヒストリテーブルの情報）に基づいて、自装置の移動速度を検出する。
なお、本実施形態では、ＰＣｅｌｌの基地局装置１１−１〜１１−４とＵＥ１の両方にＵＥ１の移動速度を検出する機能を備えるが、他の構成例として、ＰＣｅｌｌの基地局装置１１−１〜１１−４またはＵＥ１のうちの一方の装置に当該機能を備え、当該一方の装置から他方の装置に対してＵＥ１の移動速度の検出結果を通知することも可能である。
【００８１】
ここで、ＰＣｅｌｌの基地局装置１１−１〜１１−４やＵＥ１が、ＵＥ１の接続状態に関する情報に基づいて、ＵＥ１の移動速度を検出する手法としては、様々な手法が用いられてもよい。
本実施形態では、ＰＣｅｌｌの基地局装置１１−１〜１１−４やＵＥ１は、所定の時間（例えば、１０分など）におけるセルの切り替えの回数を検出し、検出された回数が第１の閾値（例えば、１０回など）以上である場合にＵＥ１の移動速度が「高速」であると判定し、検出された回数が第１の閾値未満で第２の閾値（例えば、５回など）以上である場合にＵＥ１の移動速度が「中速」であると判定し、検出された回数が第２の閾値未満である場合にＵＥ１の移動速度が「低速」であると判定する。他の例として、ＵＥ１の移動速度として、２種類の速度（例えば、「低速」、「高速」）、または４種類以上の速度が検出されてもよい。この場合に、ＰＣｅｌｌとＳＣｅｌｌとでセルの切り替えの回数に重みが設定されてもよく、一例として、ＰＣｅｌｌの切り替えの回数を所定数倍（例えば、２倍など）した値とＳＣｅｌｌの切り替えの回数（１倍した値）との合計回数が全体のセルの切り替えの回数（この例では、実際の回数ではなく、ＵＥ１の移動速度を検出するための見かけの回数）として用いられてもよい。
【００８２】
なお、ＵＥ１の移動速度を検出するためにセルの切り替えの回数を検出する所定の時間としては、様々な時間が用いられてもよく、一例として、検出を行う時点とその時点から過去に向けてあらかじめ定められた時間だけ遡った時点との間の時間が用いられてもよい。
また、ＵＥ１の移動速度を検出するために用いられるセルの切り替えの回数としては、例えば、ＰＣｅｌｌに関しては、ＵＥ１が新たにＰＣｅｌｌと接続された回数（セルリセレクションの回数）と、ＵＥ１があるＰＣｅｌｌとの接続状態から他のＰＣｅｌｌとの接続状態へ移行する回数（ハンドオーバの回数）のうちの一方または両方が用いられ、また、ＳＣｅｌｌに関しては、ＵＥ１が新たにＳＣｅｌｌに接続された回数、または、ＵＥ１がＳＣｅｌｌから接続解除された回数のうちの一方（他の例として、両方でもよい。）が用いられる。また、ＵＥ１の移動速度を検出するために用いられるセルの切り替えの回数としては、例えば、ＰＣｅｌｌのみと接続しているＵＥ１がＳＣｅｌｌとの接続を開始したときに記憶されるイベント（図３の例では、ＳＣｅｌｌのヒストリテーブルにおける「――――――――」が記述されるイベントの情報）の回数が含められてもよく、または、含められなくてもよい。
具体例として、ＵＥ１の移動速度を検出するために用いられるセルの切り替えの回数として、ヒストリテーブルにおけるすべてのイベント（セルの識別情報と持続時間の情報との対応）の数、または、所定の一部のイベントの数が用いられる。
【００８３】
また、本実施形態では、ＰＣｅｌｌの基地局装置１１−１〜１１−４やＵＥ１は、ＰＣｅｌｌのヒストリテーブルの情報（ＰＣｅｌｌに関する接続の情報）と、ＳＣｅｌｌのヒストリテーブルの情報（ＳＣｅｌｌに関する接続の情報）の両方（合計した情報）に基づいて、ＵＥ１の移動速度を検出するが、他の構成例として、ＳＣｅｌｌのヒストリテーブルの情報（ＳＣｅｌｌに関する接続の情報）のみに基づいて、ＵＥ１の移動速度を検出する構成が用いられてもよい。なお、ＰＣｅｌｌのヒストリテーブルの情報（ＰＣｅｌｌに関する接続の情報）のみに基づいて、ＵＥ１の移動速度を検出する構成が用いられてもよい。
【００８４】
また、本実施形態では、他の例として、ＰＣｅｌｌの基地局装置１１−１〜１１−４やＵＥ１は、ＰＣｅｌｌのヒストリテーブルとＳＣｅｌｌのヒストリテーブルのうちの一方の情報（他の例として、両方の情報でもよい。）に基づいて、ＵＥ１の移動速度を数値で検出（算出）してもよい。例えば、ＰＣｅｌｌの基地局装置１１−１〜１１−４やＵＥ１は、ある時間Ａ（Ａは、時間の値を表す。）内にＵＥ１がＢ回（Ｂは、回数の値を表す。）セルを移動（切り替え）した場合に、所定の距離Ｃ（Ｃは、距離の値を表す。）を使用して、ＵＥ１の移動速度は｛（Ｂ×Ｃ）／Ａ｝であると検出する。この場合、ＵＥ１がセルを１回移動すると距離Ｃだけ移動すると仮定している。この場合に、ＰＣｅｌｌとＳＣｅｌｌとで前記した所定の距離Ｃに重みが設定されてもよく、例えば、ＰＣｅｌｌに関する所定の距離Ｃ＝Ｃ１（Ｃ１は、距離の値を表す。）、ＳＣｅｌｌに関する所定の距離Ｃ＝Ｃ２（Ｃ２は、距離の値を表し、Ｃ１より小さい値である。）が用いられてもよい。
【００８５】
＜ヒストリテーブルの変形例＞
また、本実施形態では、ＰＣｅｌｌのヒストリテーブルや、ＳＣｅｌｌのヒストリテーブルに、セルの識別情報と、ＵＥ１がセルに滞在した時間（接続時間）の情報とが対応付けられて記憶されるが、他の構成例として、さらに、セルの種類（セルタイプ）の情報が対応付けられて記憶されてもよい。この場合、ＰＣｅｌｌの基地局装置１１−１〜１１−４やＵＥ１は、ＵＥ１の移動速度を検出する際に、セルの種類ごとに重みを設定してもよく、一例として、セルの種類としてマクロ基地局とピコ基地局があり、マクロ基地局につては前記したセルの切り替えの回数あるいは所定の距離Ｃを所定数倍（例えば、２倍など）し、ピコ基地局については前記したセルの切り替えの回数あるいは所定の距離Ｃを他の所定数倍（例えば、１倍など）する構成が用いられてもよい。
【００８６】
＜第１実施形態のまとめ＞
以上のように、本実施形態に係る通信システムでは、キャリアアグリゲーションにおいて、第１の基地局装置のセル（ＰＣｅｌｌの基地局装置１１−１〜１１−４のセル）と第２以降の基地局装置のセル（ＳＣｅｌｌの基地局装置１２−１〜１２−４のセル）が存在する場合に、第１の基地局装置やＵＥ１は、第２以降の基地局装置のセルに関する接続の履歴の情報を記憶して保持する。本実施形態に係る通信システムでは、第１の基地局装置やＵＥ１は、第１の基地局装置のセルおよび第２以降の基地局装置のセルの両方に関する接続の履歴の情報を記憶して保持する。本実施形態に係る通信システムでは、例えば、ＵＥ１と各基地局装置のセルとの接続が切断（解除）されるときに、その基地局装置のセルの識別情報と接続時間を記憶する。
本実施形態に係る通信システムでは、第１の基地局装置のセルに関する接続履歴のリスト（本実施形態では、ＰＣｅｌｌのヒストリテーブル）と、第２以降の基地局装置のセルに関する接続履歴のリスト（本実施形態では、ＳＣｅｌｌのヒストリテーブル）とを、別のリストとして記憶する。
【００８７】
したがって、本実施形態に係る通信システムでは、第２以降の基地局装置のセルに関する接続履歴の情報を利用して、ＵＥ１の移動に関する情報を取得することが可能である。本実施形態に係る通信システムでは、過去における第２以降の基地局装置のセルに関する接続履歴の情報を利用して、ＵＥ１の移動速度を検出することにより、ＵＥ１の移動速度の検出の精度（例えば、推定の精度）を向上させることができる。本実施形態に係る通信システムでは、第１の基地局装置のセルおよび第２以降の基地局装置のセルの両方に関する接続の履歴の情報が利用されてもよい。
このように、本実施形態に係る通信システムでは、キャリアアグリゲーションにおいて、移動端末装置（ＵＥ１）の移動に関する履歴の情報を精度良く確保することができ、この情報を移動端末装置（ＵＥ１）の移動速度の検出などに利用することができる。
【００８８】
なお、第２以降の基地局装置のセルに関する接続履歴の情報を利用することは、特に、第１の基地局装置のセル（ＰＣｅｌｌの基地局装置のセル）の範囲（セルカバレッジ）が広い場合には、当該セルに関する接続履歴の情報がＵＥ１の移動速度の検出において粗くなるため、有効である。例えば、Ｃ／Ｕ（Ｃｏｎｔｒｏｌ−Ｐｌａｎｅ／Ｕｓｅｒ−Ｐｌａｎｅ）分離の技術が導入された場合には、ＰＣｅｌｌのセルカバレッジが相対的に広くなると考えられる。
【００８９】
［第２実施形態］
以下では、各装置等の符号として、図１〜図３、図６および図７に示されるものと同じ符号を付して説明する。
以下では、第１実施形態とは異なる点について詳しく説明し、第１実施形態と同様な点については説明を省略ないし簡略化する。
【００９０】
＜通信システムの概要＞
本発明の一実施形態に係るＰＣｅｌｌを形成する装置として機能する基地局装置（ＰＣｅｌｌ装置１１）の概略的な構成は、図１に示されるものと同様である。
本発明の一実施形態に係るＵＥ１の概略的な構成は、図２に示されるものと同様である。
第１実施形態に係る通信システムでは、ＰＣｅｌｌのヒストリテーブルとＳＣｅｌｌのヒストリテーブルを別々に設けて管理するが、本実施形態では、ＰＣｅｌｌとＳＣｅｌｌの両方について共通のヒストリテーブル（共通セルヒストリテーブル）により管理する点で異なる。
【００９１】
本実施形態では、それぞれのＰＣｅｌｌの基地局装置１１−１〜１１−４は、接続状態記憶制御部１０３３の制御により、自装置により検出した情報や、他の装置から通知された情報に基づいて、記憶部１０１２に記憶する共通セルヒストリテーブルの情報に新たな情報を追加的に記憶して更新する。
本実施形態では、ＵＥ１は、接続状態記憶制御部２０３３の制御により、自装置により検出した情報や、他の装置から通知された情報に基づいて、記憶部２０１２に記憶する共通セルヒストリテーブルの情報に新たな情報を追加的に記憶して更新する。
【００９２】
本実施形態では、それぞれのＰＣｅｌｌの基地局装置１１−１〜１１−４は、移動速度検出制御部１０３４の制御により、記憶部１０１２に記憶されたＵＥ１の接続状態に関する情報（本実施形態では、共通セルヒストリテーブルの情報）に基づいて、当該ＵＥ１の移動速度を検出する。
本実施形態では、ＵＥ１は、移動速度検出制御部２０３４の制御により、記憶部２０１２に記憶された自装置（ＵＥ１）の接続状態に関する情報（本実施形態では、共通セルヒストリテーブルの情報）に基づいて、自装置の移動速度を検出する。
【００９３】
＜ＵＥの接続状態の管理の例＞
図４は、本発明の一実施形態（第２実施形態）に係る通信システムにおいて行われる処理の様子の一例を示す図である。
図４に示される通信システム（基地局装置１１−１〜１１−４、１２−１〜１２−４および通信領域１０１−１〜１０１−４、１０２−１〜１０２−４、ＵＥ１）およびＵＥ１の移動経路は、第１実施形態に係る図３に示されるものと同様である。
【００９４】
本実施形態に係る通信システムでは、第１実施形態に係るＰＣｅｌｌのヒストリテーブルおよびＳＣｅｌｌのヒストリテーブルの代わりに、共通セルヒストリテーブルが用いられる。
図４の例では、図３の例における同一の番号に対応する（１）、（２）、（４）、（６）、（７）、（８）という状態のそれぞれについて、共通セルヒストリテーブルの内容を例示してある。
本実施形態に係る共通セルヒストリテーブルでは、ＰＣｅｌｌの基地局装置１１−１〜１１−４およびＳＣｅｌｌの基地局装置１２−１〜１２−４の両方に関して、ＵＥ１が過去に接続されたセルの識別情報とその接続時間との対応が記憶される。
【００９５】
＜第２実施形態のまとめ＞
以上のように、本実施形態に係る通信システムでは、キャリアアグリゲーションにおいて、第１の基地局装置のセル（ＰＣｅｌｌの基地局装置１１−１〜１１−４のセル）と第２以降の基地局装置のセル（ＳＣｅｌｌの基地局装置１２−１〜１２−４のセル）が存在する場合に、第１の基地局装置やＵＥ１は、第２以降の基地局装置のセルに関する接続の履歴の情報を記憶して保持する。本実施形態に係る通信システムでは、第１の基地局装置やＵＥ１は、第１の基地局装置のセルおよび第２以降の基地局装置のセルの両方に関する接続の履歴の情報を記憶して保持する。本実施形態に係る通信システムでは、例えば、ＵＥ１と各基地局装置のセルとの接続が切断（解除）されるときに、その基地局装置のセルの識別情報と接続時間を記憶する。
本実施形態に係る通信システムでは、第１の基地局装置のセルに関する接続履歴のリスト（ＰＣｅｌｌのヒストリのテーブル）と、第２以降の基地局装置のセルに関する接続履歴のリスト（ＳＣｅｌｌのヒストリのテーブル）とを、共通のリストとして記憶する。
【００９６】
したがって、本実施形態に係る通信システムでは、第２以降の基地局装置のセルに関する接続履歴の情報を利用して、ＵＥ１の移動に関する情報を取得することが可能である。
このように、本実施形態に係る通信システムでは、キャリアアグリゲーションにおいて、移動端末装置（ＵＥ１）の移動に関する履歴の情報を精度良く確保することができ、この情報を移動端末装置（ＵＥ１）の移動速度の検出などに利用することができる。
【００９７】
［第３実施形態］
以下では、各装置等の符号として、図１〜図３、図６および図７に示されるものと同じ符号を付して説明する。
以下では、第１実施形態とは異なる点について詳しく説明し、第１実施形態と同様な点については説明を省略ないし簡略化する。
【００９８】
＜通信システムの概要＞
本発明の一実施形態に係るＰＣｅｌｌを形成する装置として機能する基地局装置（ＰＣｅｌｌ装置１１）の概略的な構成は、図１に示されるものと同様である。
本発明の一実施形態に係るＵＥ１の概略的な構成は、図２に示されるものと同様である。
第１実施形態に係る通信システムでは、ＰＣｅｌｌのヒストリテーブルとＳＣｅｌｌのヒストリテーブルを別々に設けて管理するが、本実施形態では、ＰＣｅｌｌとＳＣｅｌｌの組み合わせについても記憶して、ＰＣｅｌｌとＳＣｅｌｌの両方について共通のヒストリテーブル（組み合わせ共通セルヒストリテーブル）により管理する点で異なる。
【００９９】
具体的には、組み合わせ共通セルヒストリテーブルでは、ＵＥ１がＰＣｅｌｌのＣｅｌｌ＃Ａに接続されているとともにＳＣｅｌｌのＣｅｌｌ＃１に接続されているという組み合わせを、組み合わせのセルの識別情報である「Ｃｅｌｌ＃Ａ＆Ｃｅｌｌ＃１」で表す。そして、組み合わせ共通セルヒストリテーブルには、組み合わせのセルの識別情報である「Ｃｅｌｌ＃Ａ＆Ｃｅｌｌ＃１」と、接続時間の情報である「２ｓ」とが対応付けられて記憶される。これについては、他のセルの組み合わせについても同様である。
なお、本実施形態では、異なる２個のセルの組み合わせの識別情報の例として、それぞれのセルの識別情報を「＆」で接続した情報が用いられている。
また、ＵＥ１がＳＣｅｌｌに接続されるときにはＰＣｅｌｌにも接続されるためセルの組み合わせとなるが、ＵＥ１がＰＣｅｌｌのみに接続されるときには、第１実施形態と同様に、ＰＣｅｌｌの識別情報と接続時間の情報とが対応付けられる。
【０１００】
本実施形態では、それぞれのＰＣｅｌｌの基地局装置１１−１〜１１−４は、接続状態記憶制御部１０３３の制御により、自装置により検出した情報や、他の装置から通知された情報に基づいて、記憶部１０１２に記憶する組み合わせ共通セルヒストリテーブルの情報に新たな情報を追加的に記憶して更新する。
本実施形態では、ＵＥ１は、接続状態記憶制御部２０３３の制御により、自装置により検出した情報や、他の装置から通知された情報に基づいて、記憶部２０１２に記憶する組み合わせ共通セルヒストリテーブルの情報に新たな情報を追加的に記憶して更新する。
【０１０１】
本実施形態では、それぞれのＰＣｅｌｌの基地局装置１１−１〜１１−４は、移動速度検出制御部１０３４の制御により、記憶部１０１２に記憶されたＵＥ１の接続状態に関する情報（本実施形態では、組み合わせ共通セルヒストリテーブルの情報）に基づいて、当該ＵＥ１の移動速度を検出する。
本実施形態では、ＵＥ１は、移動速度検出制御部２０３４の制御により、記憶部２０１２に記憶された自装置（ＵＥ１）の接続状態に関する情報（本実施形態では、組み合わせ共通セルヒストリテーブルの情報）に基づいて、自装置の移動速度を検出する。
【０１０２】
＜ＵＥの接続状態の管理の例＞
図５は、本発明の一実施形態（第３実施形態）に係る通信システムにおいて行われる処理の様子の一例を示す図である。
図５に示される通信システム（基地局装置１１−１〜１１−４、１２−１〜１２−４および通信領域１０１−１〜１０１−４、１０２−１〜１０２−４、ＵＥ１）およびＵＥ１の移動経路は、第１実施形態に係る図３に示されるものと同様である。
【０１０３】
本実施形態に係る通信システムでは、第１実施形態に係るＰＣｅｌｌのヒストリテーブルおよびＳＣｅｌｌのヒストリテーブルの代わりに、組み合わせ共通セルヒストリテーブルが用いられる。
図５の例では、図３の例における同一の番号に対応する（１）〜（９）という状態のそれぞれについて、組み合わせ共通セルヒストリテーブルの内容を例示してある。
本実施形態に係る組み合わせ共通セルヒストリテーブルでは、ＰＣｅｌｌの基地局装置１１−１〜１１−４およびＳＣｅｌｌの基地局装置１２−１〜１２−４の両方に関して、ＰＣｅｌｌとＳＣｅｌｌとの組み合わせの情報も含めて、ＵＥ１が過去に接続されたセルの識別情報（セルの組み合わせの識別情報を含む。）とその接続時間との対応が記憶される。
なお、本実施形態に係る通信システムでは、１秒（１ｓ）を最小単位として時間を計数しており、ヒストリテーブルの種類によって、同じイベントについて異なる接続時間が記憶されることも生じ得る。
【０１０４】
＜第３実施形態のまとめ＞
以上のように、本実施形態に係る通信システムでは、キャリアアグリゲーションにおいて、第１の基地局装置のセル（ＰＣｅｌｌの基地局装置１１−１〜１１−４のセル）と第２以降の基地局装置のセル（ＳＣｅｌｌの基地局装置１２−１〜１２−４のセル）が存在する場合に、第１の基地局装置やＵＥ１は、第２以降の基地局装置のセルに関する接続の履歴の情報を記憶して保持する。本実施形態に係る通信システムでは、第１の基地局装置やＵＥ１は、第１の基地局装置のセルおよび第２以降の基地局装置のセルの両方に関する接続の履歴の情報を記憶して保持する。本実施形態に係る通信システムでは、例えば、ＵＥ１と各基地局装置のセルとの接続が開始されるときおよび切断（解除）されるときに、その基地局装置のセルの識別情報（セルの組み合わせの識別情報を含む。）と接続時間を記憶する。
本実施形態に係る通信システムでは、第１の基地局装置のセルと第２以降の基地局装置のセルとの組み合わせの情報を含めて、第１の基地局装置のセルに関する接続履歴のリスト（ＰＣｅｌｌのヒストリのテーブル）と、第２以降の基地局装置のセルに関する接続履歴のリスト（ＳＣｅｌｌのヒストリのテーブル）とを、共通のリストとして記憶する。
【０１０５】
したがって、本実施形態に係る通信システムでは、第２以降の基地局装置のセルに関する接続履歴の情報を利用して、ＵＥ１の移動に関する情報を取得することが可能である。
このように、本実施形態に係る通信システムでは、キャリアアグリゲーションにおいて、移動端末装置（ＵＥ１）の移動に関する履歴の情報を精度良く確保することができ、この情報を移動端末装置（ＵＥ１）の移動速度の検出などに利用することができる。
【０１０６】
［以上の実施形態に係る構成例］
一構成例として、端末装置（実施形態では、ＵＥ１）が第１のセル（実施形態では、ＰＣｅｌｌ）に接続されるとともに１個以上の第２以降のセル（実施形態では、ＳＣｅｌｌ）に接続される通信システム（実施形態では、キャリアアグリゲーションの無線通信システム）における前記第１のセルを形成する基地局装置（実施形態では、基地局装置１１−１〜１１−４）であって、前記端末装置と前記第２以降のセルとの接続に関する情報を記憶するように制御する接続状態記憶制御部（図１の例では、接続状態記憶制御部１０３３）を備える、基地局装置である。
ここで、１個以上の第２以降のセルとしては、例えば、１個のセル（第２のセル）であってもよく、または、Ｎ（Ｎは２以上の整数）個のセル（第２のセル〜第Ｎ＋１のセル）であってもよい。
【０１０７】
一構成例として、基地局装置において、前記接続状態記憶制御部は、前記端末装置と前記第１のセルとの接続に関する情報を記憶するように制御する。
一構成例として、基地局装置において、前記接続状態記憶制御部は、前記端末装置と前記第１のセルとの接続に関する情報とは別に、前記端末装置と前記第２以降のセルとの接続に関する情報を記憶するように制御する（例えば、第１実施形態に係る図３の例におけるＰＣｅｌｌのヒストリテーブルおよびＳＣｅｌｌのヒストリテーブル）。
一構成例として、基地局装置において、前記接続状態記憶制御部は、前記端末装置と前記第１のセルとの接続に関する情報と、前記端末装置と前記第２以降のセルとの接続に関する情報と、を共通のテーブルで記憶するように制御する（例えば、第２実施形態に係る図４の例における共通セルヒストリテーブル）。
一構成例として、基地局装置において、前記接続状態記憶制御部は、前記第１のセルと前記第２以降のセルとの組み合わせの情報を含めて、前記端末装置と前記第１のセルとの接続に関する情報と、前記端末装置と前記第２以降のセルとの接続に関する情報と、を共通のテーブルで記憶するように制御する（例えば、第３の実施形態に係る図５の例における組み合わせ共通セルヒストリテーブル）。
一構成例として、基地局装置において、前記接続状態記憶制御部は、前記端末装置が接続されるセルを識別する情報（例えば、第１実施形態に係る図３の例や第２実施形態に係る図４の例におけるセルごとの識別情報、第３実施形態に係る図５の例におけるセルごとの識別情報やセルの組み合わせの識別情報）と、前記端末装置の接続に関する時間の情報（例えば、接続時間の情報）を含む情報を記憶するように制御する。
【０１０８】
一構成例として、基地局装置において、前記接続状態記憶制御部の制御により記憶される前記端末装置と前記第２以降のセルとの接続に関する情報に基づいて、前記端末装置の移動速度を検出するように制御する移動速度検出制御部（図１の例では、移動速度検出制御部１０３４）を備える。なお、この場合、前記端末装置と前記第１のセルとの接続に関する情報は、前記端末装置の移動速度の検出に用いられてもよく、または、用いられなくてもよい。
一構成例として、基地局装置において、前記接続状態記憶制御部の制御により記憶される前記端末装置と前記第１のセルとの接続に関する情報および前記端末装置と前記第２以降のセルとの接続に関する情報に基づいて、前記端末装置の移動速度を検出するように制御する移動速度検出制御部（図１の例では、移動速度検出制御部１０３４）を備える。
【０１０９】
一構成例として、端末装置（実施形態では、ＵＥ１）が第１のセル（実施形態では、ＰＣｅｌｌ）に接続されるとともに１個以上の第２以降のセル（実施形態では、ＳＣｅｌｌ）に接続される通信システム（実施形態では、キャリアアグリゲーションの無線通信システム）における前記端末装置であって、自装置（前記端末装置）と前記第２以降のセルとの接続に関する情報を記憶するように制御する接続状態記憶制御部（図２の例では、接続状態記憶制御部２０３３）を備える、端末装置である。
【０１１０】
一構成例として、端末装置において、前記接続状態記憶制御部は、自装置と前記第１のセルとの接続に関する情報を記憶するように制御する。
一構成例として、端末装置において、前記接続状態記憶制御部は、自装置と前記第１のセルとの接続に関する情報とは別に、自装置と前記第２以降のセルとの接続に関する情報を記憶するように制御する（例えば、第１実施形態に係る図３の例におけるＰＣｅｌｌのヒストリテーブルおよびＳＣｅｌｌのヒストリテーブル）。
一構成例として、端末装置において、前記接続状態記憶制御部は、自装置と前記第１のセルとの接続に関する情報と、自装置と前記第２以降のセルとの接続に関する情報と、を共通のテーブルで記憶するように制御する（例えば、第２実施形態に係る図４の例における共通セルヒストリテーブル）。
一構成例として、端末装置において、前記接続状態記憶制御部は、前記第１のセルと前記第２以降のセルとの組み合わせの情報を含めて、自装置と前記第１のセルとの接続に関する情報と、自装置と前記第２以降のセルとの接続に関する情報と、を共通のテーブルで記憶するように制御する（例えば、第３の実施形態に係る図５の例における組み合わせ共通セルヒストリテーブル）。
一構成例として、端末装置において、前記接続状態記憶制御部は、自装置が接続されるセルを識別する情報（例えば、第１実施形態に係る図３の例や第２実施形態に係る図４の例におけるセルごとの識別情報、第３実施形態に係る図５の例におけるセルごとの識別情報やセルの組み合わせの識別情報）と、自装置の接続に関する時間の情報（例えば、接続時間の情報）を含む情報を記憶するように制御する。
【０１１１】
一構成例として、端末装置において、前記接続状態記憶制御部の制御により記憶される自装置と前記第２以降のセルとの接続に関する情報に基づいて、自装置の移動速度を検出するように制御する移動速度検出制御部（図２の例では、移動速度検出制御部２０３４）を備える。
一構成例として、端末装置において、前記接続状態記憶制御部の制御により記憶される自装置と前記第１のセルとの接続に関する情報および自装置と前記第２以降のセルとの接続に関する情報に基づいて、自装置の移動速度を検出するように制御する移動速度検出制御部（図２の例では、移動速度検出制御部２０３４）を備える。
【０１１２】
一構成例として、端末装置が第１のセルに接続されるとともに１個以上の第２以降のセルに接続される通信システムであって、前記端末装置と前記第２以降のセルとの接続に関する情報を記憶する、通信システム（例えば、第１、第２、第３実施形態に係る図３、図４、図５の例における通信システム）である。
一構成例として、端末装置が第１のセルに接続されるとともに１個以上の第２以降のセルに接続される通信システムにおける通信方法であって、前記端末装置と前記第２以降のセルとの接続に関する情報を記憶する、通信方法（例えば、第１、第２、第３実施形態に係る図３、図４、図５の例における通信システムにおける通信の方法）である。
【０１１３】
［以上の実施形態のまとめ］
以上、本発明の実施形態について図面を参照して詳述したが、具体的な構成はこの実施形態に限られるものではなく、本発明の要旨を逸脱しない範囲の設計変更等も含まれる。
【０１１４】
また、以上に示した実施形態に係る各装置（例えば、ＵＥ１、ＰＣｅｌｌの基地局装置１１−１〜１１−４、ＳＣｅｌｌの基地局装置１２−１〜１２−４）の機能を実現するためのプログラムをコンピュータ読み取り可能な記録媒体に記録して、この記録媒体に記録されたプログラムをコンピュータシステムに読み込ませ、実行することにより、処理を行ってもよい。
【０１１５】
なお、ここでいう「コンピュータシステム」とは、オペレーティング・システム（ＯＳ：Ｏｐｅｒａｔｉｎｇ  Ｓｙｓｔｅｍ）や周辺機器等のハードウェアを含むものであってもよい。
また、「コンピュータ読み取り可能な記録媒体」とは、フレキシブルディスク、光磁気ディスク、ＲＯＭ（Ｒｅａｄ  Ｏｎｌｙ  Ｍｅｍｏｒｙ）、フラッシュメモリ等の書き込み可能な不揮発性メモリ、ＤＶＤ（Ｄｉｇｉｔａｌ  Ｖｅｒｓａｔｉｌｅ  Ｄｉｓｋ）等の可搬媒体、コンピュータシステムに内蔵されるハードディスク等の記憶装置のことをいう。
【０１１６】
さらに、「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。
また、上記のプログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記のプログラムは、前述した機能の一部を実現するためのものであってもよい。さらに、上記のプログラムは、前述した機能をコンピュータシステムに既に記録されているプログラムとの組み合わせで実現できるもの、いわゆる差分ファイル（差分プログラム）であってもよい。
【符号の説明】
【０１１７】
１…ＵＥ、１１−１〜１１−４…基地局装置（ＰＣｅｌｌの基地局装置）、１２−１〜１２−４…基地局装置（ＳＣｅｌｌの基地局装置）、１０１−１〜１０１−４…通信領域（ＰＣｅｌｌ）、１０２−１〜１０２−４…通信領域（ＳＣｅｌｌ）、３０１〜３０３…ハンドオーバ、１０１１、２０１１…通信部、１０１２、２０１２…記憶部、１０１３、２０１３…制御部、１０３１、２０３１…接続状態検出制御部、１０３２、２０３２…接続状態通知制御部、１０３３、２０３３…接続状態記憶制御部、１０３４、２０３４…移動速度検出制御部
【図１】
2015177424.tif 000003
【図２】
2015177424.tif 000004
【図３】
2015177424.tif 000005
【図４】
2015177424.tif 000006
【図５】
2015177424.tif 000007
【図６】
2015177424.tif 000008
【図７】
2015177424.tif 000009